(57)【特許請求の範囲】
【請求項１】
フロー制御に従い記録媒体を再生し、映像データおよび音声データをネットワークに送信可能な送信装置であって、
再生するコンテンツが映像付きのコンテンツか否かを検出する検出手段と、
映像付きのコンテンツであった場合、前記音声データを受信する受信装置から出力されるフロー制御解除コマンドの受信を検出する検出手段と、
前記フロー制御解除コマンドの検出に応答して前記フロー制御を解除するフロー制御解除手段と、
を有することを特徴とする送信装置。
【請求項２】
請求項１記載の送信装置であり、
警告表示信号を生成する生成手段と、
前記映像付きのコンテンツであった場合、前記警告表示信号を映像出力信号として出力する手段と、
前記フロー制御を解除した後、前記映像付きコンテンツに対する映像信号を前記映像出力信号として出力する手段と、
を有することを特徴とする送信装置。
【請求項３】
請求項１記載の送信装置であり、
前記映像付きのコンテンツであった場合、前記記録媒体の再生を一時停止させる手段と、
前記フロー制御を解除した後、前記一時停止を解除する手段と、
を有することを特徴とする送信装置。
【請求項４】
請求項１乃至３の何れか一に記載の送信装置から送信された前記音声データをバッファに蓄積し、当該蓄積した音声データを基準クロックに従って読み出すフロー制御と、前記送信された音声データをＰＬＬクロックに基づき受信する通常受信とを取り得る受信装置であり、
前記フロー制御から前記通常受信に切り換える切換手段と、
前記通常受信への切り換え後、前記送信装置にフロー制御解除コマンドを送信する手段と、
を有することを特徴とする受信装置。
【請求項５】
請求項４記載の受信装置であり、更に、
前記バッファに蓄積した音声データがなくなったことを検出する検出手段を備え、
前記切換手段は、音声データがなくなったことの検出に応答して、前記フロー制御から前記通常受信に切り換えることを特徴とする受信装置。
【請求項６】
請求項４記載の受信装置であり、更に、
前記送信装置からコンテンツ情報を取得し、前記送信装置が再生するコンテンツが映像付きのコンテンツか否かを検出する検出手段を備え、
前記切換手段は、前記送信装置が再生するコンテンツが映像付きのコンテンツであることの検出に応答して、前記フロー制御から前記通常受信に切り換えることを特徴とする受信装置。
【請求項７】
フロー制御に従い記録媒体を再生し、映像データおよび音声データをネットワークに送信する送信装置の制御方法であって、
再生するコンテンツが映像付きのコンテンツか否かを検出するステップと、
映像付きのコンテンツであった場合、前記受信装置から出力されるフロー制御解除コマンドの受信を検出するステップと、
前記フロー制御解除コマンドの検出に応答して前記フロー制御を解除するステップと、
を含むことを特徴とする送信装置の制御方法。
【請求項８】
請求項７記載の送信装置の制御方法であり、
警告表示信号を生成するステップと、
前記映像付きのコンテンツであった場合、前記警告表示信号を映像出力信号として出力するステップと、
前記フロー制御を解除した後、前記映像付きコンテンツに対する映像信号を前記映像出力信号として出力するステップと、
を含むことを特徴とする送信装置の制御方法。
【請求項９】
請求項７記載の送信装置の制御方法であり、
前記映像付きのコンテンツであった場合、前記記録媒体の再生を一時停止させるステップと、
前記フロー制御を解除した後、前記一時停止を解除するステップと、
を含むことを特徴とする送信装置の制御方法。
【請求項１０】
請求項１乃至３の何れか一に記載の送信装置から送信された前記音声データをバッファに蓄積し、当該蓄積した音声データを基準クロックに従って読み出すフロー制御と、前記送信された音声データをＰＬＬクロックに基づき受信する通常受信とを取り得る受信装置の制御方法であり、
前記フロー制御から前記通常受信に切り換えるステップと、
前記通常受信への切り換え後、前記送信装置にフロー制御解除コマンドを送信するステップと、
を含むことを特徴とする受信装置の制御方法。
【請求項１１】
請求項１０記載の受信装置の制御方法であり、更に、
前記バッファに蓄積した音声データがなくなったことを検出するステップを含み、
前記フロー制御から前記通常受信に切り換えるステップは、音声データがなくなったことの検出に応答して、前記フロー制御から前記通常受信に切り換えることを特徴とする受信装置の制御方法。
【請求項１２】
請求項１０記載の受信装置の制御方法であり、更に、
前記送信装置からコンテンツ情報を取得し、前記送信装置が再生するコンテンツが映像付きのコンテンツか否かを検出するステップを含み、
前記フロー制御から前記通常受信に切り換えるステップは、前記送信装置が再生するコンテンツが映像付きのコンテンツであることの検出に応答して、前記フロー制御から前記通常受信に切り換えることを特徴とする受信装置の制御方法。
【発明の詳細な説明】
【０００１】
【発明の属する技術分野】
本発明は、記録媒体を再生した音声データをネットワークに送信する送信装置およびその制御方法、前記音声データを受信する受信装置およびその制御方法に関する。
【０００２】
【従来の技術】
ＤＶＤ（Digital Versatile Disc）プレーヤー等の再生装置で再生されたディジタルの音声データや映像データをＩＥＥＥ１３９４規格のシリアルバス（IEEE Std.1394-1995 IEEE Standard for a High Performance Serial Bus）の伝送路などを用いたネットワークに送信し、アンプ等の受信装置で音声データを受信する高音質再生が可能なディジタルオーディオビデオシステムが実現されつつある。
【０００３】
このような、ディジタルオーディオビデオシステムによれば、受信装置側で音声データーをバッファに蓄積し、また係るバッファがオーバーフローやアンダーフローを起こさないように、送信側の再生速度を±１％以内の速度で制御するフロー制御が行なわれる。
このフロー制御によれば、受信装置はバッファに蓄積した音声データを水晶精度のクロックを使用して読み出すことができるので、ジッタ成分がなく、高品位な音声出力を行うことがきる。
【０００４】
【発明が解決しようとする課題】
ＤＶＤプレーヤー等の再生装置で再生されるＤＶＤ−Ａｕｄｉｏディスクには、音声のみが入った部分（トラック）と、映像と音声とが入った部分（トラック）とが存在するディスクがある。
【０００５】
このようなＤＶＤ−Ａｕｄｉｏディスクを再生したデータを上記フロー制御により送受信する場合、音声のみが入った部分（トラック）の再生に関しては、特に問題は生じない。
【０００６】
しかし、映像と音声とが入った部分（トラック）の再生に関しては、受信装置により再生装置側の再生クロックが最大±１％で制御するため、映像が乱れる可能性があると云う問題点がある。また、受信装置では音声デーをバッファするため、映像と音声のタイミング（所謂リップシンク）が合わなくなると云う問題点が更に発生する。
【０００７】
本発明は、前述した問題点に鑑みてなされたものであり、その目的はＤＶＤ−Ａｕｄｉｏディスク等において、映像と音声とが入った部分を再生した場合にも、映像が乱れることがなく、またリップシンクを合わせることができる送信装置及びその制御方法と受信装置及びその制御方法とを提供することにある。
【０００８】
【課題を解決するための手段】
本発明に係る送信装置は、請求項１に記載したように、フロー制御に従い記録媒体を再生し、映像データおよび音声データをネットワークに送信可能な送信装置であって、再生するコンテンツが映像付きのコンテンツか否かを検出する検出手段と、映像付きのコンテンツであった場合、前記音声データを受信する受信装置から出力されるフロー制御解除コマンドの受信を検出する検出手段と、前記フロー制御解除コマンドの検出に応答して前記フロー制御を解除するフロー制御解除手段と、を有することを特徴とする。
これにより、映像付きのコンテンツを再生した場合には、フロー制御を解除するので、映像と音声とを同時に再生しても、映像が乱れることがなく、リップシンクが合い、より高品位な音声再生ができる。
【０００９】
本発明に係る送信装置は、請求項２に記載したように、請求項１記載の送信装置であり、警告表示信号を生成する生成手段と、前記映像付きのコンテンツであった場合、前記警告表示信号を映像出力信号として出力する手段と、前記フロー制御を解除した後、前記映像付きコンテンツに対する映像信号を前記映像出力信号として出力する手段と、を有することを特徴とする。
これにより、映像付きのコンテンツを再生した場合に、表示映像を警告表示に切り換えるので、この警告表示を見たユーザーがフロー制御を解除することができる。
【００１０】
本発明に係る送信装置は、請求項３に記載したように、請求項１記載の送信装置であり、前記映像付きのコンテンツであった場合、前記記録媒体の再生を一時停止させる手段と、前記フロー制御を解除した後、前記一時停止を解除する手段と、を有することを特徴とする。
これにより、再生トラックが変わるなどして、映像付きのコンテンツが再生された場合、再生を一時停止し、受信側からのフロー制御解除信号がきた時点で、フロー制御を解除することができる。
【００１１】
本発明に係る受信装置は、請求項４に記載したように、請求項１乃至３の何れか一に記載の送信装置から送信された前記音声データをバッファに蓄積し、当該蓄積した音声データを基準クロックに従って読み出すフロー制御と、前記送信された音声データをＰＬＬクロックに基づき受信する通常受信とを取り得る受信装置であり、前記フロー制御から前記通常受信に切り換える切換手段と、前記通常受信への切り換え後、前記送信装置にフロー制御解除コマンドを送信する手段と、を有することを特徴とする。
これにより、映像付きのコンテンツの音声データを受信した場合には、フロー制御を解除して、ＰＬＬクロックに基づき受信する通常受信とすることができ、また、送信装置にフロー制御解除コマンドを送信して、フロー制御を解除させることができるので、映像が乱れることがなく、リップシンクが合い、より高品位な音声再生ができる。
【００１２】
本発明に係る受信装置は、請求項５に記載したように、請求項４記載の受信装置であり、更に、前記バッファに蓄積した音声データがなくなったことを検出する検出手段を備え、前記切換手段は、音声データがなくなったことの検出に応答して、前記フロー制御から前記通常受信に切り換えることを特徴とする。
これにより、フロー制御を解除して、通常受信とする際に、それまで送信されていた音声データの最後の部分、または、最初の部分が切れてしまうことを防ぐことができる。
【００１３】
本発明に係る受信装置は、請求項６に記載したように、請求項４記載の受信装置であり、更に、前記送信装置からコンテンツ情報を取得し、前記送信装置が再生するコンテンツが映像付きのコンテンツか否かを検出する検出手段を備え、前記切換手段は、前記送信装置が再生するコンテンツが映像付きのコンテンツであることの検出に応答して、前記フロー制御から前記通常受信に切り換えることを特徴とする。
これにより、取得したコンテンツ情報から、映像付きコンテンツか否かを検出し、映像付きコンテンツの場合は、自動的に、フロー制御を解除してバッファを通さない通常受信とすることができる。
【００１４】
本発明に係る送信装置の制御方法は、請求項７に記載したように、フロー制御に従い記録媒体を再生し、映像データおよび音声データをネットワークに送信する送信装置の制御方法であって、再生するコンテンツが映像付きのコンテンツか否かを検出するステップと、映像付きのコンテンツであった場合、前記受信装置から出力されるフロー制御解除コマンドの受信を検出するステップと、前記フロー制御解除コマンドの検出に応答して前記フロー制御を解除するステップと、を含むことを特徴とする。
これにより、映像付きのコンテンツを再生した場合には、フロー制御を解除するので、映像と音声とを同時に再生しても、映像が乱れることがなく、リップシンクが合い、より高品位な音声再生ができる。
【００１５】
本発明に係る送信装置の制御方法は、請求項８に記載したように、請求項７記載の送信装置の制御方法であり、警告表示信号を生成するステップと、前記映像付きのコンテンツであった場合、前記警告表示信号を映像出力信号として出力するステップと、前記フロー制御を解除した後、前記映像付きコンテンツに対する映像信号を前記映像出力信号として出力するステップと、を含むことを特徴とする。
これにより、映像付きのコンテンツを再生した場合に、表示映像を警告表示に切り換えるので、この警告表示を見たユーザーがフロー制御再生を解除することができる。
【００１６】
本発明に係る送信装置の制御方法は、請求項９に記載したように、請求項７記載の送信装置の制御方法であり、前記映像付きのコンテンツであった場合、前記記録媒体の再生を一時停止させるステップと、前記フロー制御を解除した後、前記一時停止を解除するステップと、を含むことを特徴とする。
これにより、再生トラックが変わるなどして、映像付きのコンテンツが再生された場合、再生を一時停止し、受信側からのフロー制御解除信号がきた時点で、フロー制御を解除して再生することができる。
【００１７】
本発明に係る受信装置の制御方法は、請求項１０に記載したように、請求項１乃至３の何れか一に記載の送信装置から送信された前記音声データをバッファに蓄積し、当該蓄積した音声データを基準クロックに従って読み出すフロー制御と、前記送信された音声データをＰＬＬクロックに基づき受信する通常受信とを取り得る受信装置の制御方法であり、前記フロー制御から前記通常受信に切り換えるステップと、前記通常受信への切り換え後、前記送信装置にフロー制御解除コマンドを送信するステップと、を含むことを特徴とする。
これにより、映像付きのコンテンツの音声データを受信した場合には、フロー制御を解除して、ＰＬＬクロックに基づき受信する通常受信とすることができ、また、送信装置にフロー制御解除コマンドを送信して、フロー制御再生を解除させることができるので、映像が乱れることがなく、リップシンクが合い、より高品位な音声再生ができる。
【００１８】
本発明に係る受信装置の制御方法は、請求項１１に記載したように、請求項１０記載の受信装置の制御方法であり、更に、前記バッファに蓄積した音声データがなくなったことを検出するステップを含み、前記フロー制御から前記通常受信に切り換えるステップは、音声データがなくなったことの検出に応答して、前記フロー制御から前記通常受信に切り換えることを特徴とする。
これにより、フロー制御を解除して、通常受信とする際に、それまで送信されていた音声データの最後の部分、または、最初の部分が切れてしまうことを防ぐことができる。
【００１９】
本発明に係る受信装置の制御方法は、請求項１２に記載したように、請求項１０記載の受信装置の制御方法であり、更に、前記送信装置からコンテンツ情報を取得し、前記送信装置が再生するコンテンツが映像付きのコンテンツか否かを検出するステップを含み、前記フロー制御から前記通常受信に切り換えるステップは、前記送信装置が再生するコンテンツが映像付きのコンテンツであることの検出に応答して、前記フロー制御から前記通常受信に切り換えることを特徴とする。
これにより、取得したコンテンツ情報から、映像付きコンテンツか否かを検出し、映像付きコンテンツの場合は、自動的に、フロー制御を解除してバッファを通さない通常受信とすることができる。
【００２０】
【発明の実施の形態】
以下、本発明に係る実施の形態を図面に基づいて詳細に説明する。
【００２１】
（第１の実施の形態）
本発明に係る第１の実施の形態を以下説明する。
まず、送信装置（ＤＶＤプレーヤー）の構成について説明する。
図１は、送信装置（ＤＶＤプレーヤー）の構成を示すブロック図である。
図１に示すように、送信装置（ＤＶＤプレーヤー）１０は、ＤＶＤ再生部１１と、ＩＥＥＥ１３９４規格のＩ／Ｆ部１２と、ＣＰＵ１３と、操作部１４と、表示部１５と、ＧＵＩ１６、映像データスイッチ１７、ＤＡコンバータ１８を備えている。
【００２２】
次に、以下、送信装置（ＤＶＤプレーヤー）１０の各ブロックの接続および構成を説明する。
図１に示すように、ＤＶＤ再生部１１は、再生されたコンテンツの映像データＶＤ１１が映像データスイッチ１７へ出力するように接続され、再生されたコンテンツの音声データＡＤ１１がＩ／Ｆ部１２へ出力するように接続され、制御信号が入出力できるようにＣＰＵ２３と接続されている。
【００２３】
Ｉ／Ｆ部１２は、ネットワーク接続されたＩＥＥＥ１３９４規格のシリアルバスに接続されている。また、Ｉ／Ｆ部１２は、制御信号の入出力ができるようにＣＰＵ２３と接続され、また、音声データＡＤ１１が入力されるように接続されている。
【００２４】
ＣＰＵ１３は、送信装置（ＤＶＤプレーヤー）１０を外部から操作するための操作部１４からの操作情報が入力され、外部へ内部の情報を表示する表示部１５へ表示情報を出力されるようにそれぞれ接続されている。
また、送信装置（ＤＶＤプレーヤー）１０内の各ブロックを制御するように構成され、ＤＶＤ再生部１１と、Ｉ／Ｆ部１２と、ＧＵＩ１６と、映像データスイッチ１７とに対する制御信号の入出力をするように構成されている。
【００２５】
ＧＵＩ１６は、ＣＰＵ１３からの制御信号が入力され、警告表示の映像データＶＤ１２が映像データスイッチ１７に出力されるように接続されている。
【００２６】
映像データスイッチ１７は、映像データＶＤ１１と、警告表示の映像データＶＤ１２が入力され、映像データＶＤ１３がＤＡコンバータ１８に出力されるように接続されている。
【００２７】
ＤＡコンバータ１８は、映像データＶＤ１３が入力され、ＤＡ変換されたアナログの映像信号を外部へ出力するように接続されている。
【００２８】
図２は、第１〜第４の実施の形態に係る受信装置（アンプ）の構成を示すブロック図である。
図２に示すように、第１の実施の形態に係る受信装置（アンプ）２０は、Ｉ／Ｆ部２１と、バッファ２２と、データ切換スイッチ２３と、音声処理部２４と、ＤＡコンバータ２５と、基準クロック発生部２６ａ，２６ｂと、基準クロック切換スイッチ２７と、ＣＰＵ２８と、操作部２９と、表示部３０とを備えている。
【００２９】
次に、以下、各ブロックの接続および構成を説明する。
図２に示すように、Ｉ／Ｆ部２１は、ネットワーク接続されたＩＥＥＥ１３９４規格のシリアルバスに接続されている。また、Ｉ／Ｆ部２１は、制御信号の入出力ができるようにＣＰＵ２８と接続され、さらに、音声データＡＤ２１をバッファ２２へ出力するように接続されている。
【００３０】
バッファ２２は、音声データＡＤ２２をデータ切換スイッチ２３へ出力するように接続され、また、ＣＰＵ２８へバッファ情報を出力し、ＣＰＵ２８からバッファへの制御信号が入力されるように接続されている。
【００３１】
データ切換スイッチ２３は、入力された音声データＡＤ２１と音声データＡＤ２２とを切り換えて、音声データＡＤ２３を音声処理部２４へ出力するように接続されている。また、ＣＰＵ２８からデータ切換への制御信号が入力するように接続されている。
【００３２】
音声処理部２４は、ＤＡコンバータ２５へ音声データＡＤ２４を出力するように接続され、また、制御信号が入力されるようにＣＰＵ２８と接続されている。
【００３３】
ＤＡコンバータ２５は、ＤＡ変換された音声信号を外部機器（例えば、スピーカー）等へ接続可能に構成されている。
【００３４】
第１の基準クロック発生部２６ａは第１の基準クロックＣＫａを発生するように構成されている（フロー制御の場合に使用する）。
第２の基準クロック発生部２６ｂはＰＬＬによって第２の基準クロックＣＫｂを発生するように構成されている（通常受信の場合に使用する）。
【００３５】
基準クロック切換スイッチ２７は、第１の基準クロック発生部２６ａから供給された第１の基準クロックＣＫａと、第２の基準クロック発生部２６ｂから供給された第２の基準クロックＣＫｂと、ＣＰＵ２８から出力された基準クロック切換の制御信号と、を入力し、受信装置（アンプ）２０内の各ブロック（Ｉ／Ｆ部２１、バッファ２２、ＤＡコンバータ２５）へ切り換えた基準クロックＣＫを供給するように構成されている。
【００３６】
ＣＰＵ２８は、受信装置（アンプ）２０を外部から操作するための操作部２９からの操作情報が入力され、外部へ内部の情報を表示する表示部３０へ表示情報が出力されるようにそれぞれ接続されている。
また、受信装置（アンプ）２０内の各ブロックを制御するように構成され、Ｉ／Ｆ部２１への制御信号の入出力と、バッファ２２からのバッファ情報の入力と、バッファ２２への制御信号の出力と、基準クロック切換スイッチ２７への制御信号の出力と、データ切換スイッチ２３への制御信号の出力と、音声処理部２４への制御信号の出力とをするように構成されている。
【００３７】
本実施の形態は、フロー制御に従いＤＶＤ−Ａｕｄｉｏ等の記録媒体を再生し、映像データおよび音声データをネットワークに送信する送信装置（ＤＶＤプレーヤー）１０である。
【００３８】
本実施の形態に係る送信装置（ＤＶＤプレーヤー）１０の特徴は、ＣＰＵ１３から制御信号を送信して、フロー制御する複数の手段を備えており、これらの手段は以下の通りである。
（１）ＤＶＤ再生部１１から再生するコンテンツが映像付きのコンテンツか否かを検出する検出手段。
（２）検出手段の出力に応答して、モニタに表示する映像を警告表示に切り換える映像データ切換手段。
（３）受信装置２０から出力されるフロー制御解除コマンドの受信を検出する検出手段。
（４）フロー制御解除コマンドの検出に応答してフロー制御を解除するフロー制御解除手段。
【００３９】
以下、第１の実施の形態に係る送信装置の制御方法を、図３を用いて説明する。図３において、ステップＳ１０１〜Ｓ１０５は、送信装置の制御方法である。
【００４０】
送信装置（ＤＶＤプレーヤー）１０は、フロー制御に従い再生を行う（ステップＳ１０１）。
【００４１】
次に、ＤＶＤ再生部１１が再生したデータが映像付きのコンテンツであるか否かの検出処理を行い、映像付きのコンテンツのデータが検出された場合（Ｙ）はステップＳ１０３の処理を行い、映像付きのコンテンツのデータが検出されない場合（Ｎ）は、ステップＳ１０１に戻る（ステップＳ１０２）。
【００４２】
次に、ＣＰＵ１３が制御コマンドをＧＵＩ１６に送信し、ＧＵＩ１６は、ユーザに対する警告表示の映像データＶＤ１２を映像データスイッチ１７に送信し、映像データスイッチ１７は、ＣＰＵ１３から送信された映像データ切換制御信号を受信して、警告表示の映像データをＤＡコンバータ１８へ出力する（ＶＤ１３）。
このＶＤ１３をＤＡコンバータ１８がＤＡ変換したアナログの映像信号を、外部のモニタに出力して、モニタに警告表示の映像が表示される（例えば、「フロー制御再生中につき、映像は表示できません。映像を表示する場合には、フロー制御を解除してください。」と云う警告表示の映像）（ステップＳ１０３）。
【００４３】
次に、受信装置２０の操作部２９に設けられたＯＮ／ＯＦＦボタン等をユーザが押すことによって受信装置２０から送信されるフロー制御解除コマンドを、ＣＰＵ１３が受信したか否かを検出し、フロー制御解除コマンドを受信した場合（Ｙ）はステップＳ１０５によりフロー制御を解除し、フロー制御解除コマンドを受信しない場合（Ｎ）はステップＳ１０３に戻る。（ステップＳ１０４）。
【００４４】
次に、映像データスイッチ１７は、ＣＰＵ１３から送信された映像データ切換制御信号を受信して、コンテンツの映像データＶＤ１１をＤＡコンバータ１８へ出力する（ＶＤ１３）。これにより、外部のモニタにコンテンツ映像が表示される（ステップＳ１０６）。
【００４５】
（第２の実施の形態）
本発明に係る第２の実施の形態を以下説明する。
第２の実施の形態に係る送信装置（ＤＶＤプレーヤー）１０の構成は、第１の実施の形態と同様の構成であり、また、受信装置（アンプ）２０の構成も同様である。
【００４６】
本実施の形態は、送信装置（ＤＶＤプレーヤー）１０の再生トラック変更に対応するものであり、音声のみのコンテンツのトラックから、映像と音声とのコンテンツのトラックに変更する場合である。
まず、送信装置および受信装置の制御信号とＡ＆Ｍデータとのタイミングを図４に示し、以下説明する。
【００４７】
図４に示すトラック変更の場合においては、音声のみのコンテンツのトラックｎから、ポーズモードを経て、映像と音声とのコンテンツのトラックｎ＋１に変化している。
【００４８】
まず、トラックｎにおけるサンプリング周波数ＦＳ＝４８ｋＨｚのＡ＆Ｍデータは、シリアルバス上のアイソクロナス伝送領域に格納されている。
【００４９】
受信装置２０は、一定の間隔で送信装置１０に対して状態取得要求コマンドを送出し、アシンクロナス伝送領域に格納される。
状態取得要求コマンドを受信した送信装置１０は、ポーズ（映像再生への切り換えによる）状態であることを送出し、アシンクロナス伝送領域に格納される。これを受信した受信装置は、ポーズかつそれが映像再生への切り換えによるものである場合には、受信側の処理が終わった後、受信装置２０よりフロー制御解除コマンドが送出され、アシンクロナス伝送領域に格納される。
【００５０】
そして、フロー制御解除コマンドを受信した送信装置（ＤＶＤプレーヤー）１０は、ポーズを解除してトラックｎ＋１におけるサンプリング周波数ＦＳ＝４８ｋＨｚのＡ＆Ｍデータを送出する。
【００５１】
本実施の形態は、再生したデータをネットワークへ送信するように構成され、かつ、フロー制御可能に構成された送信装置（ＤＶＤプレーヤー）１０と、ネットワークから受信したデータをバッファに蓄積し、第１の基準クロックに基づき、前記バッファ内のデータを読み出すフロー制御と、前記ネットワークから受信したデータを第２の基準クロックに基づいて受信する通常受信と、を切り換え可能に構成された受信装置（アンプ）２０とである。
【００５２】
本実施の形態に係る送信装置（ＤＶＤプレーヤー）１０の特徴は、ＣＰＵ１３から制御信号を送信して、フロー制御する複数の手段を備えており、これらの手段は以下の通りである。
（１）フロー制御再生時、ＤＶＤ再生部１１から再生するコンテンツが映像付きのコンテンツか否かを検出する検出手段。
（２）映像付きのコンテンツであった場合、記録媒体の再生を一時停止させる手段。
（３）受信装置２０から出力されるフロー制御解除コマンドの受信を検出する検出手段。
（４）フロー制御解除コマンドの検出に応答してフロー制御再生を解除した後、一時停止を解除し、通常再生とする手段。
【００５３】
本実施の形態に係る受信装置（アンプ）２０の特徴は、ＣＰＵ２８から制御信号を送信して、フロー制御する複数の手段を備えており、これらの手段は以下の通りである。
（１）バッファ２２に蓄積した音声データがなくなったことを検出する検出手段。
（２）音声データがなくなったことの検出に応答して、フロー制御から通常受信に切り換える切換手段。
（３）通常受信への切り換え後、送信装置１０にフロー制御解除コマンドを送信する手段。
【００５４】
以下、第２の実施の形態に係る送信装置および受信装置の制御方法を、図５を用いて説明する。
図５において、（Ａ）に示されるステップＳ２０１〜Ｓ２０７は、送信装置側の制御方法であり、（Ｂ）に示されるステップＳ２０８〜Ｓ２１６は、受信装置側の制御方法である。
【００５５】
以下、送信装置（ＤＶＤプレーヤー）１０側の制御方法を説明する。
送信装置（ＤＶＤプレーヤー）１０は、フロー制御再生を行っている（ステップＳ２０１）。
【００５６】
次に、ＤＶＤ再生部１１が再生したデータが映像付きのコンテンツであるか否かの検出処理を行い、映像付きのコンテンツのデータが検出された場合（Ｙ）はステップＳ２０３の処理を行い、映像付きのコンテンツのデータが検出されない場合（Ｎ）は、ステップＳ２０１に戻る（ステップＳ２０２）。
【００５７】
次に、ＤＶＤ再生部１１をポーズモードにする（ステップＳ２０３）。
【００５８】
次に、フロー制御解除コマンドを受信したか否かの検出処理を行い、フロー制御解除コマンドを受信した場合（Ｙ）はステップＳ２０５によりフロー制御を解除し、フロー制御解除コマンドを受信していない場合（Ｎ）は、ステップＳ２０３ポーズモードを維持する（ステップＳ２０４）。
【００５９】
次に、ＤＶＤ再生部１１のポーズモードを解除する（ステップＳ２０６）。
【００６０】
通常の再生が行われる（ステップＳ２０７）。
【００６１】
以下、受信装置（アンプ）２０側の制御方法を説明する。
受信装置（アンプ）２０は、フロー制御受信を行っている。
まず、送信装置（ＤＶＤプレーヤー）１０のステータスを取得する（ステップＳ２０８）。
【００６２】
次に、ポーズステータスコマンドを受信した場合（Ｙ）はステップＳ２１０の処理を行い、受信していない場合（Ｎ）は、ステップＳ２０８に戻る（ステップＳ２０９）。
【００６３】
次に、受信したポーズステータスコマンドが、映像付きコンテンツへの切り換えによるポーズか否かの検出処理を行い、映像付きコンテンツへの切り換えによるポーズであることが検出された場合（Ｙ）はステップＳ２１１の処理を行い、映像付きコンテンツへの切り換えによるポーズでないことが検出されない場合（Ｎ）は、図示しない他の処理フローへ移行する（ステップＳ２１０）。
【００６４】
次に、バッファ２２が空か否かを検出し、バッファ２２が空であることが検出された場合（Ｙ）はステップＳ２１２の処理を行い、バッファが空であることが検出されない場合（Ｎ）は、このバッファが空か否かの検出を繰り返す（ステップＳ２１１）。
【００６５】
次に、ＣＰＵ２８からバッファ２２へ読み出し停止制御信号を送り、バッファ２２から音声データＡＤ２２の読み出しを停止させる（ステップＳ２１２）。
【００６６】
次に、ＣＰＵ２８から基準クロック切換スイッチ２７へ基準クロック切換コマンドを送り、基準クロックＣＫを、第１の基準クロックＣＫａから第２の基準クロックＣＫｂ（ＰＬＬによるクロック）に切り換える（ステップＳ２１３）。
【００６７】
次に、ＣＰＵ２８からスイッチ２３へ切換制御信号を送り、音声処理部２４への音声データＡＤ２３をＡＤ２２からＡＤ２１に切り換える（ステップＳ２１４）。
【００６８】
次に、送信装置（ＤＶＤプレーヤー）１０に対して、フロー制御解除コマンドを送信する（ステップＳ２１５）。
【００６９】
ＰＬＬによる第１のクロックＣＫａを用いた通常受信が行われる（ステップＳ２１６）。
【００７０】
（第３の実施の形態）
本発明に係る第３の実施の形態を以下説明する。
第３の実施の形態に係る受信装置（アンプ）２０の構成は、第１の実施の形態と同様の構成であり、また、送信装置（ＤＶＤプレーヤー）１０も同様である。
【００７１】
本実施の形態は、ネットワークから受信したデータをバッファに蓄積し、第１の基準クロックに基づき、前記バッファ内のデータを読み出すフロー制御受信と、前記ネットワークから受信したデータを第２の基準クロックに基づいて受信する通常受信と、を切り換え可能に構成された受信装置（アンプ）２０である。
音声データは、例えば、送信装置（ＤＶＤプレーヤー）２０から送信されたものである。
【００７２】
本実施の形態に係る受信装置（アンプ）２０の特徴は、ＣＰＵ２８から制御信号を送信して、フロー制御する複数の手段を備えており、これらの手段は以下の通りである。
（１）送信装置１０からコンテンツ情報を取得し、送信装置１０が再生するコンテンツが映像付きのコンテンツか否かを検出する検出手段。
（２）送信装置１０が再生するコンテンツが映像付きのコンテンツであることの検出に応答して、フロー制御受信から通常受信に切り換える切換手段。
（３）通常受信への切り換え後、送信装置１０にフロー制御解除コマンドを送信する手段。
【００７３】
以下、第３の実施の形態に係る受信装置の制御方法を図６により説明する。
受信装置（アンプ）２０は、第１の基準クロックＣＫａを用いたフロー制御受信を行っている（ステップＳ３０１）。
【００７４】
次に、コンテンツ情報取得コマンドによって、送信装置（ＤＶＤプレーヤー）１０のコンテンツ情報を取得する（ステップＳ３０２）。
【００７５】
次に、得られた送信装置（ＤＶＤプレーヤー）１０のコンテンツ情報より、映像付きコンテンツか否かの検出処理を行い、映像付きコンテンツであることが検出された場合（Ｙ）はステップＳ３０４の処理を行い、映像付きコンテンツでないことが検出されない場合（Ｎ）は、ステップＳ３０１へ戻る（ステップＳ３０３）。
【００７６】
次に、ＣＰＵ２８から基準クロック切換スイッチ２７へ基準クロック切換制御信号を送り、基準クロックＣＫを、基準クロックＣＫａからＰＬＬクロックＣＫｂに切り換え（ステップＳ３０４）、また、ＣＰＵ２８からスイッチ２３へ切換制御信号を送り、音声処理部２４への音声データＡＤ２３を音声データＡＤ２２からＡＤ２１に切り換える（ステップＳ３０５）。
【００７７】
そして、送信装置１０に対してフロー制御解除コマンドを送信し（ステップＳ３０６）、以後ＰＬＬクロックＣＫｂを用いた通常受信が行われる（ステップＳ３０７）。
【００７８】
（第４の実施の形態）
本発明に係る第４の実施の形態を以下説明する。
第４の実施の形態に係る送信装置（ＤＶＤプレーヤー）１０の構成は、第１の実施の形態と同様の構成であり、また、受信装置（アンプ）２０の構成も同様である。
【００７９】
本実施の形態は、再生したデータをネットワークへ送信するように構成され、かつ、フロー制御可能に構成された送信装置（ＤＶＤプレーヤー）１０と、ネットワークから受信したデータをバッファに蓄積し、第１の基準クロックに基づき、前記バッファ内のデータを読み出すフロー制御受信と、前記ネットワークから受信したデータを第２の基準クロックに基づいて受信する通常受信と、を切り換え可能に構成された受信装置（アンプ）２０とである。
【００８０】
本実施の形態に係る送信装置（ＤＶＤプレーヤー）１０の特徴は、ＣＰＵ１３から制御信号を送信して、フロー制御する複数の手段を備えており、これらの手段は以下の通りである。
（１）フロー制御再生時、ＤＶＤ再生部１１から再生するコンテンツが映像付きのコンテンツか否かを検出する検出手段。
（２）映像付きのコンテンツであった場合、記録媒体の再生を一時停止させる手段。
（３）検出手段の出力に応答して、受信装置（アンプ）２０側にフロー制御解除要求コマンドを送信する送信手段。
（４）受信装置２０から出力されるフロー制御解除コマンドの受信を検出する検出手段。
（５）フロー制御解除コマンドの検出に応答してフロー制御再生を解除した後、一時停止を解除し、通常再生とする手段。
【００８１】
本実施の形態に係る受信装置（アンプ）２０の特徴は、ＣＰＵ２８から制御信号を送信して、フロー制御する複数の手段を備えており、これらの手段は以下の通りである。
（１）送信装置１０から送信されたフロー制御解除要求コマンドを受信したことに応答して、バッファ２２へのデータ書き込みを停止する手段。
（２）バッファ２２に蓄積した音声データがなくなったことの検出に応答して、フロー制御受信から通常受信に切り換える切換手段。
（３）通常受信への切り換え後、送信装置１０にフロー制御解除コマンドを送信する手段。
【００８２】
以下、第４の実施の形態に係る送信装置および受信装置の制御方法を、図７を用いて説明する。
図７において、（Ａ）に示されるステップＳ４０１〜Ｓ４０８は、送信装置側の制御方法であり、（Ｂ）に示されるステップＳ４０９〜Ｓ４１６は、受信装置側の制御方法である。
【００８３】
以下、送信装置（ＤＶＤプレーヤー）１０側のフロー制御を説明する。
送信装置（ＤＶＤプレーヤー）１０は、フロー制御再生を行っている（ステップＳ４０１）。
【００８４】
次に、ＤＶＤ再生部１１が再生したデータが映像付きのコンテンツであるか否かの検出処理を行い、映像付きのコンテンツのデータが検出された場合（Ｙ）はステップＳ４０３の処理を行い、映像付きのコンテンツのデータが検出されない場合（Ｎ）は、ステップＳ４０１に戻る（ステップＳ４０２）。
【００８５】
次に、ＤＶＤ再生部１１をポーズモードにする（ステップＳ４０３）。
【００８６】
次に、受信装置（アンプ）２０側にフロー制御解除要求コマンドを送信する（ステップＳ４０４）。
【００８７】
次に、フロー制御解除コマンドを受信したか否かの検出処理を行い、フロー制御解除コマンドを受信した場合（Ｙ）はステップＳ４０６の処理を行い、フロー制御解除コマンドを受信していない場合（Ｎ）は、ポーズモードを維持する（ステップＳ４０５）。
【００８８】
次に、フロー制御を解除する（ステップＳ４０６）。
【００８９】
次に、ＤＶＤ再生部１１のポーズモードを解除する（ステップＳ４０７）。
【００９０】
通常の再生が行われる（ステップＳ４０８）。
【００９１】
以下、受信装置（アンプ）側の制御方法を説明する。
受信装置（アンプ）２０は、第１の基準クロックＣＫａを用いたフロー制御受信を行っている。
フロー制御解除要求コマンドを受信した場合（Ｙ）はステップＳ４１０の処理を行い、受信していない場合（Ｎ）は現状を維持する（ステップＳ４０９）。
【００９２】
次に、バッファ２２への音声データＡＤ２１の書き込みを停止する（ステップＳ４１０）。
【００９３】
次に、バッファ２２が空か否かを検出し、バッファ２２が空であることが検出された場合（Ｙ）はステップＳ４１２の処理を行い、バッファが空であることが検出されない場合（Ｎ）は、このバッファが空か否かの検出を繰り返す（ステップＳ４１１）。
【００９４】
次に、ＣＰＵ２８からバッファ２２へ読み出し停止制御信号を送り、バッファ２２から音声データＡＤ２２の読み出しを停止させる（ステップＳ４１２）。
【００９５】
次に、ＣＰＵ２８から基準クロック切換スイッチ２７へ基準クロック切換コマンドを送り、基準クロックＣＫを、第１の基準クロックＣＫａから第２の基準クロックＣＫｂ（ＰＬＬによるクロック）に切り換える（ステップＳ４１３）。
【００９６】
次に、ＣＰＵ２８からスイッチ２３へ切換制御信号を送り、音声処理部２４への音声データＡＤ２３を音声データＡＤ２２からＡＤ２１に切り換える（ステップＳ４１４）。
【００９７】
次に、送信装置（ＤＶＤプレーヤー）１０に対して、フロー制御解除コマンドを送信する（ステップＳ４１５）。
【００９８】
ＰＬＬによる第２の基準クロックＣＫｂを用いた通常受信が行われる（ステップＳ４１６）。
【００９９】
上記第１〜第４の実施の形態で示したネットワークにおけるＩＥＥＥ１３９４規格シリアルバス上の同期単位であるアイソクロナスサイクルについて、図８を用いて以下説明する。
図８は、アイソクロナスサイクル内のデータ構造を説明する図である。
【０１００】
図８に示すように、アイソクロナスサイクルＩＣは、全てのノードの基準時刻を合わせるためにアイソクロナスサイクルＩＣの先頭に常に挿入されるサイクルスタートパケットＣＳＰと、複数チャンネル分のアイソクロナスパケットＩＰにより構成され、各々のチャンネルに対応したデータが各々のアイソクロナスパケットＩＰに含まれることにより構成されているアイソクロナス伝送領域ＩＣＴと、非同期のデータである制御信号等が含まれているアシンクロナス伝送領域ＡＣＴと、により構成されている。
【０１０１】
また、各アイソクロナス伝送領域ＩＣＴの最後尾およびアシンクロナス伝送領域ＡＣＴの最後尾には、アイソクロナス伝送領域ＩＣＴの終了またはアシンクロナスサブアクションＳＡの終了を示す時間的間隙であるサブアクションギャップＳＧが挿入されている。
さらに、各アイソクロナスパケットＩＰの間及びサイクルスタートパケットＣＳＰと先頭のアイソクロナスパケットＩＰの間には、各パケットの終了を示す時間的間隙であるアイソクロナスギャップＩＧが挿入されている。
このとき、上記サブアクションギャップＳＧの長さはアイソクロナスギャップＩＧの長さよりも長く設定されている。
【０１０２】
アイソクロナスパケットＩＰは、各アイソクロナスパケットＩＰ内のデータ量を示す情報や各アイソクロナスパケットＩＰ内の情報を伝送するチャンネルを示す情報等を含むＩＰ（Isochronous Packet）ヘッダＩＰＨと、ＣＩＰ（Common Isochronous Packet）ヘッダＣＩＰＨと、Ａ＆Ｍデータを含むデータ領域ＤＦと、により構成されている。
【０１０３】
一方、アシンクロナス伝送領域ＡＣＴは、複数のアシンクロナスサブアクションから構成され、各アシンクロナスサブアクションは、非同期に伝送される制御情報等のデータが含まれるデータパケットＤＰと、送信先のノードからの返信に用いられるデータが含まれるアクノリッジパケットＡＣＰとにより構成されている。
ここで、データパケットＤＰとアクノリッジパケットＡＣＰとの間には、データパケットＤＰの終了を示す時間的間隙であるアクノリッジギャップＡＧが挿入されている。
【０１０４】
データパケットＤＰは、各データパケットＤＰの宛先を示す情報などを含むＡＰ（Asynchronous Packet）ヘッダＡＰＨと、制御信号等を含むデータ領域ＡＤＦと、により構成されている。
【０１０５】
【発明の効果】
以上説明したように、本発明によれば、映像と音声とが入った部分を再生した場合にも、映像が乱れることがなく、また、リップシンクを合わせることができる送信装置や受信装置を提供することができる。
【図面の簡単な説明】
【図１】  第１〜第４の実施の形態に係る送信装置（ＤＶＤプレーヤー）の構成を示すブロック図である。
【図２】  第１〜第４の実施の形態に係る受信装置（アンプ）の構成を示すブロック図である。
【図３】  第１の実施の形態に係る受信装置の制御方法を示すフローチャートである。
【図４】第２の実施の形態に係る送信装置および受信装置の制御信号とデータとのタイミングを示す図である。
【図５】第２の実施の形態に係る受信装置の制御方法を示すフローチャートである。
【図６】第３の実施の形態に係る送信装置および受信装置の制御方法を示すフローチャートである。
【図７】第４の実施の形態に係る受信装置の制御方法を示すフローチャートである。
【図８】アイソクロナスサイクル内のデータ構造を説明する図である。
【符号の説明】
１１  再生部
１２  Ｉ／Ｆ部
１３  ＣＰＵ
１４  操作部
１５  表示部
１６  ＧＵＩ
１７  映像データスイッチ
１８  ＤＡコンバータ
２１  Ｉ／Ｆ部
２２  バッファ
２３  データ切換スイッチ
２４  音声処理部
２５  ＤＡコンバータ
２６ａ  基準クロック発生部
２６ｂ  （ＰＬＬによる）基準クロック発生部
２７  基準クロック切換スイッチ
２９  操作部
３０  表示部
ＡＤ１１  音声データ
ＡＤ２１  音声データ
ＡＤ２２  音声データ
ＡＤ２３  音声データ
ＡＤ２４  音声データ
ＶＤ１１  映像データ
ＶＤ１２  映像データ
ＶＤ１３  映像データ
ＣＫ  基準クロック
ＣＫａ  （フロー制御受信時の）基準クロック
ＣＫｂ  （通常受信時の）基準クロック
Ｓ１０１〜Ｓ１０６  第１の実施の形態の制御ステップ
Ｓ２０１〜Ｓ２０７  第２の実施の形態の制御ステップ（送信側）
Ｓ２０８〜Ｓ２１６  第２の実施の形態の制御ステップ（受信側）
Ｓ３０１〜Ｓ３０７  第３の実施の形態の制御ステップ
Ｓ４０１〜Ｓ４０８  第４の実施の形態の制御ステップ（送信側）
Ｓ４０９〜Ｓ４１６  第４の実施の形態の制御ステップ（受信側）
【図１】
0004166964.tif 000002
【図２】
0004166964.tif 000003
【図３】
0004166964.tif 000004
【図４】
0004166964.tif 000005
【図５】
0004166964.tif 000006
【図６】
0004166964.tif 000007
【図７】
0004166964.tif 000008
【図８】
0004166964.tif 000009